(57)【特許請求の範囲】
【請求項１】
通気性を有する袋状のダクト本体が備えられ、このダクト本体の開口部が空調装置における筒状のエア噴出口部の外周に嵌められ、上記開口部の外周が、金属製の締付バンドで締め付けられて上記エア噴出口部に固定される空調用ソックダクトにおいて、
上記ダクト本体には、その開口部の周方向に沿ってリング状の断熱部が設けられ、この断熱部は上記締め付けバンドと上記エア噴出口部との間に介在される空調用ソックダクト。
【請求項２】
上記リング状の断熱部は弾性的に伸縮可能であり、
自然長を保った上記断熱部の外径をダクト本体の上記開口部の内径よりも小さくし、断熱部の内径をエア噴出口部の外径より小さくした請求項１に記載された空調用ソックダクト。
【発明の詳細な説明】
【技術分野】
【０００１】
この発明は、食品加工工場などの空調設備に用いられるソックダクトに関する。
【背景技術】
【０００２】
この種のものとして、図３〜図６に示した空調用ソックダクトが従来から知られている。
図示の空調用ソックダクトは、通気性を有する帯電不織布を筒状にするとともにその先端を閉じて袋状にしたダクト本体１からなる。このようにしたダクト本体１は、その開口部２を空調装置３のエア噴出口部４に取り付け、この開口部２の周囲を金属製の締付バンドＢで締め付けて、ダクト本体１を上記エア噴出口部４にしっかりと止めるようにしている。
【０００３】
上記のようにしたダクト本体１には、その長手方向に沿って図４，５に示す吊り穴５を複数設けている。
一方、天井６にはガイドレール７を設けるとともに、このガイドレール７にフック等の複数の引掛け部材８を移動可能に設けている。
そして、ガイドレール７に設けた引掛け部材８を上記吊り穴５に引掛け、ダクト本体１を天井６に沿って伸縮できるようにしている。
【０００４】
したがって、あらかじめ折りたたんだダクト本体１の開口部２を、空調装置３のエア噴出口部４に取り付けてから、吊り穴５に上記引掛け部材８を順次引掛けることによって、天井６に取り付けることができる。
そして、ダクト本体１を天井６に取り付けたら、このダクト本体１に空調装置３からのエアを吹き込めば、ダクト本体１は図３，４に示すように円柱状に膨らむ。
【０００５】
上記のように空調装置３からのエアすなわち冷気を、直接室内に噴出させるのではなく、ダクト本体１に一端吹き込んでからその冷気を室内に導くようにしたのは、次の理由からである。
例えば、食品加工工場などでは、空調装置３のエア噴出口部４から冷気を直接噴出させると、風の当たり具合によっては食品を乾燥させたりする。
【０００６】
それだけではなく、室内に温度ムラができ、場所によっては特定の人だけに極度な寒さを感じさせたりして、作業環境を悪化させてしまう。
また、空調装置３のエア噴出口部４から冷気を直接噴出させるということは、空調装置３の中で発生した種々の細菌やカビあるいは装置内の異物などが室内に噴出されるので、食品衛生上も好ましくない。
そこで、上記のように空調装置３のエア噴出口部４に空調用ソックダクトを取り付けて、いろいろな問題を解決している。
【０００７】
また、ダクト本体１は、数メートルのものから１０メートルを超すものがあるなど、その全長が長くなるので、冷気が吹き込まれたダクト本体１内はかなりの高圧になる。
ダクト本体１がこの高圧に耐えてエア噴出口部４から抜け出ないようにするために、上記締付バンドＢが必要とされるが、上記したようにダクト本体１内の圧力に耐える強い締付力を発揮させるために、この締付バンドＢは金属製であることが求められる。
【０００８】
しかも、この締付バンドＢは、その締付力を一定に保つために、図６に示す構成にしている。すなわち、締付バンドＢは、そのリング部９の一端側と他端側とを互いに重ね合わせるとともに、その一端側には支点部１０を中心に回動可能にしたレバー１１を設けている。このレバー１１であって上記支点部１０よりも離れた位置に引掛けピン１２を設け、この引掛けピン１２に、ばね部材１３の一端に設けたフック１３ａを引掛ける一方、このばね部材１３の他端に設けたフック１３ｂを、上記リング部９の他端側に形成した調整穴１４に引掛けている。
そして、上記レバー１１を図示の状態に保つことによって、ばね部材１３のばね力がリング部９の締付力になるようにしている。
【先行技術文献】
【特許文献】
【０００９】
【特許文献１】特開２０１３−１６０４５５号公報
【発明の概要】
【発明が解決しようとする課題】
【００１０】
上記のようにした空調用ダクトでは、ダクト本体１をエア噴出口部４に止める金属製の締付バンドＢに結露ができてしまう。
例えば、食品加工工場などでは、室温をかなり低くして食品の鮮度を維持するが、そのために、例えばエア噴出口部４の周囲と、室内との温度差が３度前後と大きくなってしまう。
また、締付バンドＢは、その締付力を維持するために金属製にしているので、熱伝導率が高く、エア噴出口部４の周囲の低温が締付バンドＢに伝わり、締付バンドＢも室温よりも３度前後低くなる。そのために、締付バンドＢに結露ができてしまう。
【００１１】
特に、締付バンドＢは上記したようにレバー１１やばね部材１３などを備えているので、そこにできた結露が流れやすいとともに、流れ出した水滴はリング部９の下側に集中し、そこから室内に落ちる。しかし、結露としてできた水滴が、例えば作業テーブルなどに落ちれば食品衛生上好ましいことではないので、食品加工工場などでは、結露を防ぐ手段が強く望まれていた。
このような状況の中で、従来の空調用ソックダクトでは、結露ができるのを防ぐことができないという問題があった。
この発明の目的は、きわめて簡単な構造で、結露の発生を確実に防ぐことができる空調用ソックダクトを提供することである。
【課題を解決するための手段】
【００１２】
この発明は、空調用ソックダクトに関するもので、通気性を有する袋状のダクト本体の開口部が空調装置のエア噴出口部の外周に嵌められ、ダクト本体の開口部の外周が、金属製の締付バンドで締め付けられてエア噴出口部に固定される。
そして、第１の発明は、上記ダクト本体の開口部には、その周方向に沿ってリング状の断熱部が設けられ、この断熱部は上記締付バンドと上記エア噴出口部との間に介在される。
なお、上記断熱部は、その開口部の外周あるいは内周のいずれに設けてもよい。
【００１５】
第２の発明は、上記リング状の断熱部を弾性的に伸縮可能にするとともに、自然長を保った上記断熱部の外径をダクト本体の上記開口部の内径よりも小さくし、断熱部の内径をエア噴出口部の外径より小さくしたものである。そして、上記断熱部をその弾性に抗してその径を拡大しながら、ダクト本体をエア噴出口部に取り付けるとともに、その径の拡大する力を開放した取り付け状態において断熱部が収縮状態を保てるようにしている。
【発明の効果】
【００１６】
第１の発明の空調用ソックダクトによれば、ダクト本体の開口部に断熱部を設けたので、断熱部の部分を締付バンドで締め付ければ、締付バンドには空調装置のエア噴出口部の温度がほとんど伝わらない。締付バンドにエア噴出口部の温度がほとんど伝わらないので、締付バンドには結露ができない。
このようにダクト本体を締め付ける締付バンドに結露ができないので、結露による水滴が落ちたりせず、食品加工工場などでは食品衛生を厳しく管理できることになる。
【００１７】
しかも、ダクト本体の開口部に断熱部を設けるだけでよいので、構造が簡単でしかも安価である。それにもかかわらず、食品加工工場のような現場で強く求められていた結露の発生を確実に防止できるので、その費用対効果比は計り知れないものがある。
また、上記エア噴出口部の外周と上記金属製の締付バンドとの間に、上記ダクト本体の上記開口部及び上記断熱部を介在させたので、締付バンドでダクト本体を押さえて、ダクト本体と断熱部とが分離するのを防止できる。
【００２０】
第２の発明の空調用ソックダクトによれば、伸縮可能な断熱部を設けたので、ダクト本体を上記エア噴出口部に取り付ける作業過程で、断熱部をエア噴出口部にはめてしまえば、断熱部の収縮力の作用で、ダクト本体がエア噴出口部から抜けないので、作業効率が良くなる。
【図面の簡単な説明】
【００２１】
【図１】第１実施形態の要部の断面図である。
【図２】第２実施形態の要部の断面図である。
【図３】従来の空調用ソックダクトを示すもので、複数のダクト本体を空調装置に取り付けた状態の説明図である。
【図４】上記従来の空調用ソックダクトを示すもので、特定のダクト本体を空調装置に取り付けるとともに、それを天井に吊るした状態の一部断面説明図である。
【図５】上記従来の空調用ソックダクトを示すもので、ダクト本体の開口部側を示す部分斜視図である。
【図６】締付バンドの要部を示す正面図である。
【発明を実施するための形態】
【００２２】
図１に示した第１実施形態は、ダクト本体１の開口部２に断熱部１５を備えた点に特徴を有するもので、その他の構成は図３〜図６に示す構成と同じである。したがって、空調装置３を含めて従来と同じ構成要素には、同一符号を用いて説明する。
【００２３】
上記ダクト本体１の開口部２には断熱材からなる断熱部１５を設けている。そして、この第１実施形態における断熱部１５は、空調装置３のエア噴出口部４に対して摩擦力が大きく、しかも伸縮自在な弾性を有するゴムからなっている。
上記のようにした断熱部１５は、リング状にするとともに上記ダクト本体１の上記開口部２の内周全長にわたって連続的に設けている。そして、このようにした断熱部１５は、縫合部１６でダクト本体１の開口部２に縫合されている。
なお、上記縫合状態においても、このダクト本体１はその径を拡大する方向に伸ばすことができるようにしている。
【００２４】
ただし、リング状の上記断熱部１５の外径は、ダクト本体１の開口部２の内径より小さくするとともに、断熱部１５の内径はエア噴出口部４の外径よりも小さくしている。
したがって、断熱部１５が自然長を保っているときには、ダクト本体１の開口部２にしわができている状態になり、この開口部２のしわを伸ばすようにして断熱部１５の径をその弾性に抗して拡大できるようにしている。
【００２５】
また、断熱部１５の径を上記のように拡大しながら、ダクト本体１の開口部２をエア噴出口部４に取り付け、その後に断熱部１５の径を拡大する力を開放すれば、断熱部１５がエア噴出口部４の外周に密着する。しかも、エア噴出口部４に対して断熱部１５の収縮力が締付力として作用し、この締付力が断熱部１５の摩擦力と相まって、ダクト本体１がエア噴出口部４から抜けるのを防ぐことができる。したがって、締付バンドＢで締め付けなくても、ダクト本体１を一時的に取り付けることができ、その分、作業効率が良くなる。
【００２６】
上記のようにしてダクト本体１をエア噴出口部４に一時的に取り付けたら、断熱部１５に相当する部分を締付バンドＢで締め付ける。このときには、図１に示すように、上記縫合部１６を締付バンドＢよりも開口部２の先端側に位置させる。
このように締付バンドＢの締付位置を特定することによって、エア噴出口部４から抜け出る力がダクト本体１に作用しても、その力を締付バンドＢで受けるので、縫合部１６が破れたりしなくなる。
【００２７】
また、断熱部１５は、開口部２の内周全長にわたって設けているので、締付バンドＢの締付力がダクト本体１を介して断熱部１５に均等に作用する。したがって、エア噴出口部４に対して、断熱部１５の摩擦力も均等に作用し、断熱部１５も含めてダクト本体１がエア噴出口部４から抜けてしまうのを防ぐことができる。
さらに、締付バンドＢの締付力がダクト本体１を介して断熱部１５に均等に作用するので、上記縫合部１６に偏った力が作用せず、縫合部１６が部分的にほつれたりしなくなる。
【００２８】
いずれにしても、この第１実施形態によれば、断熱部１５を設けたので、金属製の締付バンドＢにはエア噴出口部４の温度が直接伝わらない。したがって、エア噴出口部４の温度と室温とに差があっても、締付バンドＢはほぼ室温に保たれるので、結露など発生しない。
しかも、ダクト本体１の開口部２の内周全長にわたってリング状の断熱部１５を沿わせ、この断熱部１５とダクト本体１の開口部２とを縫合するという簡単な構成なので、製造コストも安価ですむ。このように構造が簡単で安価にもかかわらず、食品加工工場のような現場で強く求められていた結露の発生を確実に防止できるので、その費用対効果比は計り知れないものがある。
【００２９】
図２に示した第２実施形態は、ダクト本体１の開口部２を内側に折り返すとともに、その折返し部１７で第１実施形態と同じ断熱部１５を包み込んでいる。そして、上記折返し部１７の先端部分を縫合して縫合部１６としている。このようにダクト本体１の折返し部１７で断熱部１５を包み込んでいるので、例えば空調用ソックダクトの搬送過程で断熱部１５がダクト本体１から取れたりしない。
上記以外の構成は第１実施形態と同じである。
【００３０】
上記のようにした第２実施形態では、ダクト本体１の折り返し部分で断熱部１５を包み込むようにしているので、断熱部１５に摩擦力があっても、それがエア噴出口部４に作用することはない。このように断熱部１５の摩擦力がエア噴出口部４に作用するか否かを除けば、その作用効果は、第２実施形態は第１実施形態と同じである。
【００３１】
上記第１，２実施形態では、断熱部１５をダクト本体１の開口部２の内周に設けたが、断熱部１５をダクト本体１の開口部２の外周に設けるようにしてもよい。このように断熱部１５を外周に設けても、エア噴出口部４の温度が締付バンドＢに直接伝わらないので、第１，２実施形態と同様に結露の発生を防ぐことができる。
【産業上の利用可能性】
【００３２】
食品衛生の管理が厳しい食品加工工場に用いる空調装置に取り付ける空調用ダクトとして最適である。
【符号の説明】
【００３３】
１      ダクト本体
２      開口部
３      空調装置
４      エア噴出口部
Ｂ      締付バンド
１５      断熱部
【図１】
0006032682.tif 000002
【図２】
0006032682.tif 000003
【図３】
0006032682.tif 000004
【図４】
0006032682.tif 000005
【図５】
0006032682.tif 000006
【図６】
0006032682.tif 000007